(57)【要約】【課題】手術や治療、検査、鍼灸、マッサージなどの際に着用しても、身体の任意部位を容易に開放することができる施術衣を提供する。【解決手段】  前身ごろ２と後身ごろ３の縦中央部が、衿部４より裾まで開放された左右の生地が、衿部４より裾まで一定の深さに重なり合う、外生地７と内生地８の中ほど下部位を横方向に縫い付けてなる連結部９を設け、その上部の衿部４の外生地７と内生地８に着脱自在の係止部材１０を設けた衣服を形成した両サイド上部に腕開口部５，５を設け、下部にはサイド開放部６，６を設けた施術衣１とする。【選択図】図１
2006122615.tif 000002
【特許請求の範囲】
【請求項１】
身体の任意部位が自在に開放できる施術衣であって、前身ごろと後身ごろの縦中央部が開放されるものとし、その開放部の左右の生地が、衿部から裾まで一定の幅で重なり合う外生地と内生地の中ほど下部位を横方向の連結部で閉じ合わせ、さらに、その上部の衿部の外生地と内生地のそれぞれには、雄雌を一組とする係止部材を設けた衣服を形成して、前身ごろと後身ごろが対象に構成されることを特徴とする任意開放ができる施術衣。
【請求項２】
上記する施術衣の衿部の外生地と内生地に設ける係止部材が、一組の面ファスナーで形成される請求項１に記載する任意開放ができる施術衣。
【請求項３】
上記する施術衣の両サイド下部に、一定の深さの切れ込みを設けたサイド開放部を形成した請求項１又は請求項２に記載する任意開放ができる施術衣。
【請求項４】
上記する施術衣の前後部の合わせ目の連結部が、一組の面ファスナー形成される請求項１〜請求項３のいずれかに記載する任意開放ができる施術衣。
【発明の詳細な説明】
【技術分野】
【０００１】  本発明は、手術や治療、検査、鍼灸、マッサージなどの際に着用しても、身体の任意部位を容易に開放することができる施術衣に関する。
【背景技術】
【０００２】  従来、手術や治療、鍼灸、マッサージなどの際には、効果的に施術するために下着一枚や全裸になってから身体の一部を開放できる専用の施術衣に着替えていた。これらの施術衣は、身体の前部や背部その他の部位が開閉できる構成であるが、その開閉部にはボタンやファスナー、面ファスナー、紐などが取り付けられている衣服である。その一例としては、薄い生地による甚平様の衣服の背部中央部に、衿部から裾までと、その左右の袖上辺部を開放し、その開放部にマジックテープ等による着脱係止部材を取り付けて、施術の際に一部を開放できる技術がある。（参考文献１参照）
【特許文献１】特開平１１−１９２２４３公報（第３頁−５頁、第１図）
【発明の開示】
【発明が解決しようとする課題】
【０００３】  上記するような施術衣が提供されており、衣服の一部を開放できる施術衣として一定の目的は果たしている。しかし、身体に施術する際に開放する部位の着脱部材は、ボタンやファスナーのスライダーや紐などの場合、ベッドに臥せた際に前記の固まりや突起が身体に当たるため、長時間の施術時は患者に刺激や痛みを与えるなどの欠点や不便があった。【０００４】  さらに特開平１１−１９２２４３公報に開示される施術衣は、後身ごろの開放部に設ける係止部材は面ファスナーを採用しているので、前記のような異物感が少ない。しかし、その面ファスナーによる係止部は、剥離強度を２段階にして数多く設ける必要があるとともに、前身ごろの開放部の閉じ合わせは紐で結ぶ方法であるので、横向きになった際は突部が身体に当たって刺激や痛みを与える。加えて、後身ごろや肩辺に設ける係止部材はきわめて数が多いので、着用するにも脱ぐにも大変手間が掛かるため着用者や施術者にとっても扱いにくく、またコスト高になるなどの不便や欠点の多い施術衣であった。
【課題を解決するための手段】
【０００５】  本発明は、以上のような不便や欠点を解消するために、請求項１においては、前身ごろと後ろ身ごろの縦中央部の衿部から裾まで開放するとともに、その左右の生地が衿部か裾まで一定の幅で重なり合う外生地と内生地の中ほど下部位を、横方向に縫い付けた連結部を設け、さらに、その上部の衿部の外生地と内生地のそれぞれには、着脱自在の係止部材を設けた衣服を形成して、前身ごろと後身ごろを対象に構成することにより、型紙はシンプルで、かつ着用した際は身体のいずれの部位でも任意に開放できる施術衣とする。【０００６】  請求項２においては、施術衣の衿部の外生地と内生地に設ける係止部材を、一組の面ファスナーで形成することで、身体に突起による刺激や痛みを与えない施術衣とする。【０００７】  請求項３においては、上記する施術衣の両サイド下部に一定の深さの切れ込みを設けたサイド開放部を形成することで、脚部の開放を容易にする施術衣とする。【０００８】  請求項４においては、上記する施術衣の前後部に設ける連結部を、一組の面ファスナーで形成することで、必要な時に着脱して全開放することができる施術衣とする。
【発明の効果】
【０００９】  本発明における施術衣は、前身ごろと後身ごろが同じ形態を成す構成であるので、型紙はきわめてシンプルで、かつ縫製も容易であるなど、従来には見られないほど安価に製造できる。さらに衣服の前後の開放重なり部は、横方向に設けた一本の連結部のみであるとともに、両側の裾部は一定の深さ開放されているので、身体のいずれの部位でも任意にして素早く開放することができる施術衣である。加えて衿部の外生地と内生地には、雄雌一組とする薄い面ファスナーを取り付けているので、ボタンや紐やスライダーのように身体への刺激や痛みを与えない優しい係止部材である。また衿部の係止部材どうしを閉じれば雄面ファスナーを隠すことができるので、施術時にタオルなど併用しても引っ掛かる心配はない。さらに色分けした場合は視覚的に閉じ合わせやすいなど、機能的にしてきわめてシンプルで、かつ任意に全部位を開放できる施術衣を提供することができる。
【発明を実施するための最良の形態】
【００１０】  本発明の施術衣は、身体の任意部位を容易に開閉できるとともに、その前後部の形態が同じ衣服を、布地や不織布、紙（以下、生地と称す）などで形成する、前身ごろと後身ごろの合わせ目が、衿部から裾まで同じ幅で重なるように形成した中ほど下部位を横方向にを閉じ合わせ、かつ、その上部の衿部の外生地と内生地には、雄雌一組とする面ファスナーを設けて衿の二つ折りも容易にできる施術衣とする。
【実施例１】
【００１１】  実施例１の施術衣を、図１に示す一部開放した正面図と図２に示す背面図、図３に示す衿部の折り返し状態を示す参考図を参照して説明する。
実施例１の施術衣１は、前身ごろ２と後身ごろ３の縦中央部が衿部４から裾まで開放された衣服とし、その衣服の衿部４から裾までの左  右の生地が一定の幅で重なり合うように形成さした両サイド上部に、腕開口部５，５を設け、かつ、その下部の裾には一定の長さの切れ込みを設けたサイド開放部６，６を形成して、前身ごろ２と後身ごろ３の形態が対象となる衣服を形成する。【００１２】  さらに、その衣服の前身ごろ２と後身ごろ３の重ね合わせ目の外生地７と内生地８の中ほど下部位は、横方向に縫い付けた連結部９形成するとともに、その上部の衿部４の外生地の７内側面には、一組の雄面ファスナー１１と雌面ファスナー１１ａの係止部材１０を一定間隔で取り付け、他方、内生地８の外側には、前記した外生地７の係止部材１０と係合する位置に雄面ファスナー１１と雌面ファスナー１１ａを取り付けた施術衣１を構成する。尚、外生地７と内生地８に設ける係止部材１０は異なる色の組み合わせにする。例えば、外生地７の雄面ファスナー１１は黄色で雌面ファスナー１１ａは緑色とし、反対に対向する内生地８の雄面ファスナー１１は緑で雌面ファスナー１１ａは黄色にする。【００１３】  本実施例における施術衣１は、衣服を形成する前後の形態は対象とし、かつ前身ごろ２と後身ごろ３の合わせ目は一定の深さに重なり合う下部位を横方向に縫い付けるとともに、両サイドの上部に腕開口部５，５を、下部にはサイド開放部６，６を設けた衣服を形成するので、型紙はきわめてシンプルでかつ縫製も容易であるとともに、着用した際は身体の前後はもとより、いずれの箇所でも容易に開放できる構成である。さらに衿部４の外生地７と内生地８面それぞれには、一組の雄面ファスナー１１と雌面ファスナー１１ａを一組として設けているので、衿部４や身体の前後の開閉はもとより、外生地７または内生地８どうしを閉じ合わせて図３に示すように始末できるので、施術時にタオルなどを併用しても雄面ファスナー１１にタオル地が引っ掛かるのを防げるとともに、この係止部材１０は色分けしているため、異なる色の係止部材１０を閉じ合わせるだけで衿部４の始末が容易にできる。尚、実施例１における施術衣１は袖を付けていないが、取り付けても構わないものである。
【実施例２】
【００１４】  実施例２の施術衣を図４に示一部開放した正面図で説明する。
本実施例に示す施術衣１は、前身ごろ２と後身ごろ３が必要に応じて開閉自在な施術衣１とする。前記実施例１においては、前身ごろ２後身ごろ３の合わせ目は縫い付けて連結部９を形成しているが、本実施例においては縫い付けに代えて、外生地７の内側と対向する内生地８の外側面に、一組の係止部材１０である雄面ファスナー１１と雌面ファスナー１１ａを横方向に設けて連結部９を形成した施術衣１を構成する。【００１５】  実施例２における施術衣１は、基本的には前記実施例１と同じであるが、前身ごろ２と後身ごろ３の合わせ目に設ける連結部９が、着脱自在の雄面ファスナー１１と雌面ファスナー１１ａを一組として、外生地７と内生地８に設けているので、着用する際は合わせ目を開放して和服のように着られるし、また施術する際に身体を全面開放にすることもできる施術衣１を構成する。
【産業上の利用可能性】
【００１６】  本発明は施術用の衣服であるが、保温性ある生地により、長い袖を付けたり裾丈を長くすることで介護用衣服としても適用できる。
【図面の簡単な説明】
【００１７】
【図１】  実施例１の施術衣を示す一部開放した正面図である。
【図２】  実施例１の施術衣を示す背面図である。
【図３】  実施例１の衿部の折り返し状態を示す参考図である。
【図４】  実施例２の施術衣の一部を開放した正面図である。
【符号の説明】
【００１８】  １  施術衣
２  前身ごろ
３  後身ごろ
４  衿部
５  腕開口部
６  サイド開放部
７  外生地
８  内生地
９  連結部
１０  係止部材
１１  雄面ファスナー
１１ａ  雌面ファスナー
【図１】
2006122615.tif 000003
【図２】
2006122615.tif 000004
【図３】
2006122615.tif 000005
【図４】
2006122615.tif 000006